(57)【要約】 【課題】  簡単な操作で、正確な量の空気を注入することができる空気注入量設定手段を備えた止血器具用シリンジを提供する。【解決手段】  本発明のガスケットを指定の位置に静止させる、又は、使用者に静止を促す手段を備えた止血器具用シリンジは、外筒１０と、外筒１０内で摺動し得るガスケット２０と、外筒１０の基端の開口部より挿入され、ガスケット２０を移動操作する押し子３０と外筒１０の内側に外筒１０の基端の開口部から先端に向かって突き出た、外筒１０と一体に設けられた棒状ストッパ４１０を備え、ガスケット２０の後端面が棒状ストッパ４１０の先端に当接している状態から、ガスケット２０の先端面２０４が外筒１０の底部１０１に当接するまで押し子３０を押し込んで、正確な量の空気を止血器具に注入する。【選択図】  図３
2012034819.tif 000002
【特許請求の範囲】
【請求項１】
バルーンを備えた止血器具と該バルーンに空気を注入するシリンジとからなる止血器具組立体であって、
該止血器具は、肢体の止血すべき部位に巻き付ける可撓性を有する帯体と、
前記帯体を前記肢体に巻き付けた状態で固定する固定手段と、
空気を注入することにより拡張するバルーンとを備え、
該シリンジは、先端に底部と、前記底部を介して外側に突き出る縮径部とを有し、基端に開口部を有する外筒と、
前記外筒内で摺動し得るガスケットと、
前記外筒の前記基端の開口部より挿入され、前記ガスケットを移動可能に操作する押し子とを備え、
前記外筒、前記ガスケット、前記押し子のうちの少なくとも１つに、予め設定された指定空気注入量を設定するために、前記ガスケットを指定の位置に静止させる、又は、使用者に静止を促す手段を設けていることを特徴とする止血器具組立体。
【請求項２】
前記使用者に静止を促す手段は、前記外筒又は前記押し子に設けた少なくとも１つのマークであることを特徴とする請求項１に記載の止血器具組立体。
【請求項３】
前記使用者に静止を促す手段は、前記外筒、前記押し子、前記ガスケットのうちの少なくとも１つに設けたストッパであることを特徴とする請求項１に記載の止血器具組立体。
【請求項４】
前記使用者に静止を促す手段は、前記外筒の内側に前記外筒の前記基端の前記開口部から先端に向かって突き出た、前記外筒と一体に設けられた棒状ストッパであることを特徴とする請求項１又は３に記載の止血器具組立体。
【請求項５】
前記使用者に静止を促す手段は、前記外筒の内側に前記外筒の内壁から前記外筒の断面方向に突き出た、前記外筒と一体に設けられた突起状ストッパであることを特徴とする請求項１又は３に記載の止血器具組立体。
【請求項６】
前記使用者に静止を促す手段は、前記外筒に設けた少なくとも１つの孔であることを特徴とする請求項１に記載の止血器具組立体。
【請求項７】
前記静止させる手段は、前記外筒、前記ガスケット、前記押し子のうちの少なくとも１つに設けたストッパであることを特徴とする請求項１に記載の止血器具組立体。
【請求項８】
前記静止させる手段が、前記ガスケットの外周に設けた溝に脱着可能に嵌合された前記外筒の内壁に前記外筒の断面方向に前記外筒と一体に設けた突起状ストッパであることを特徴とする請求項１又は７に記載の止血器具組立体。
【請求項９】
前記静止させる手段が、前記外筒の前記基端に側部が当接する変形又は破壊可能な突起を有する、前記押し子と一体に設けられた棒状ストッパであることを特徴とする請求項１又は７に記載の止血器具組立体。
【請求項１０】
前記静止させる手段が、前記外筒に設けた孔に脱着可能に嵌合された突起を有する、前記押し子に対し断面方向に変位可能に設けられた棒状ストッパであることを特徴とする請求項１又は７に記載の止血器具組立体。
【発明の詳細な説明】
【技術分野】
【０００１】
本発明は、止血器具に空気を注入するシリンジに関する。
【背景技術】
【０００２】
腕または脚に形成された穿刺部位に導入されたイントロデューサーシースの内腔を介してカテーテル等を経皮的に血管等の病変部に挿入して治療・検査などを行った場合、そのイントロデューサーシースを抜去した後の穿刺部位を止血する必要がある。この止血を行うために、腕または脚の穿刺部位に巻き付けるための帯体と、このベルトを穿刺部位に巻き付けた状態で固定する固定手段と、流体を注入することにより拡張し、穿刺部位を圧迫するバルーンとを備えた止血器具が知られている（例えば、特許文献１参照）。
【０００３】
このような止血器具では、帯体を腕または脚の穿刺部位に巻き付けて固定手段によって固定してから、流体注入部のコネクタにシリンジを接続して所定量の流体をバルーンに注入した後、シリンジをコネクタから取り外して止血を開始し、止血終了までバルーンによる穿刺部位の圧迫を維持することにより止血作業を行う。
【０００４】
シリンジは、外筒と、この外筒内に挿入されたガスケットと、このガスケットに連結された押し子とを備えており、押し子を押圧操作してガスケットを外筒内で先端方向に摺動させ、流体の排出を行う。
【０００５】
しかし、所定量の流体をバルーンに注入する操作は、シリンジに設けられた目盛りを参照しながら手動で調整する方法に頼っていたので、操作ミスや、目盛りの読み間違いなどによってバルーンへの流体注入量が少なすぎてバルーンによる穿刺部位の圧迫力が弱すぎることにより、止血性が低下したり、バルーンへの流体注入量が多すぎてバルーンによる穿刺部位の圧迫力が強すぎることにより、手首への負荷が過剰となることが生じ易いという問題があった。
【０００６】
このような問題点を解決するシリンジとして、押し子の移動量を規制可能とした構成のものが提案されている（例えば、特許文献２、特許文献３参照。）。
【０００７】
特許文献２に記載のシリンジ（注射器１０）では、ストッパー（調節リング５６）が押し子（プランジャー２２）に対して回転により、その長手方向に沿って移動可能とされている。そして、ストッパーを押し子の所望の位置に移動させ、この状態で、外筒（円筒２）に押し子を押圧する操作を行うと、ストッパーが外筒の基端に当接することにより、押し子の移動が規制される。なお、ここで使用した符号は、特許文献２に記載の符号である。
【０００８】
ところが、この特許文献２に記載のシリンジでは、ストッパーを押し子に対して固定する手段が設けられていないため、ストッパーの押し子に対する位置が容易にズレてしまい、液体の所望の排出量に保持しづらいという問題がある。また、ストッパーを押し子に対して回転させて移動させることから、その移動操作が極めて煩雑であるという問題もある。
【０００９】
一方、特許文献３に記載のシリンジ（注射器１）では、ストッパー（ストッパー３）が押し子（ピストン２）の長手方向に沿って移動可能とされている。そして、ストッパーを押し子の所望の位置に移動させ、この状態で、外筒（シリンダー４）に押し子を押圧する操作を行うと、ストッパーが外筒の基端に当接することにより、押し子の移動が規制される。
【００１０】
ところが、この特許文献３に記載のシリンジでは、ストッパーに押し子を挿通する孔が設けられており、この孔の縁部に押し子の外周面に形成された係合溝５が係合することにより、ストッパーが押し子に対して固定される構成であるため、ストッパーの押し子に対する移動操作に強い力を要するという問題がある。なお、ここで使用した符号は、特許文献３に記載の符号である。
【００１１】
これらの問題点を解決するものとして、例えば特許文献４に記載のシリンジが開発されている。
【先行技術文献】
【特許文献】
【００１２】
【特許文献１】特許第３９７４４６７号公報
【特許文献２】実公平２−１５５０２号公報
【特許文献３】実開昭６２−１１９９４４号公報
【特許文献４】特開２００３−１９９８２８号公報
【発明の概要】
【発明が解決しようとする課題】
【００１３】
しかしながら、上記特許文献４に記載のシリンジでは、ストッパーを構成する部品点数が多く、構造が複雑であり、製造コストが高くつくという問題がある。
【００１４】
本発明は、簡単な操作で、正確な量の空気を注入することができる止血器具用シリンジを提供することを目的とする。
【課題を解決するための手段】
【００１５】
このような目的は、下記（１）〜（１０）の本発明により達成される。
【００１６】
（１）バルーンを備えた止血器具とバルーンに空気を注入するシリンジとからなる止血器具組立体であって、止血器具は、肢体の止血すべき部位に巻き付ける可撓性を有する帯体と、帯体を肢体に巻き付けた状態で固定する固定手段と、空気を注入することにより拡張するバルーンとを備え、シリンジは、先端に底部と、底部を介して外側に突き出る縮径部とを有し、基端に開口部を有する外筒と、外筒内で摺動し得るガスケットと、外筒の基端の開口部より挿入され、ガスケットを移動可能に操作する押し子とを備え、外筒、ガスケット、押し子のうちの少なくとも１つに、予め設定された指定空気注入量を設定するために、前記ガスケットを指定の位置に静止させる、又は、使用者に静止を促す手段を設けたことを特徴とする止血器具組立体。
【００１７】
（２）使用者に静止を促す手段は、外筒又は押し子に設けた少なくとも１つのマークであることを特徴とする（１）に記載の止血器具組立体。
【００１８】
（３）使用者に静止を促す手段は、外筒、押し子、ガスケットのうちの少なくとも１つに設けたストッパであることを特徴とする（１）に記載の止血器具組立体。
【００１９】
（４）使用者に静止を促す手段は、外筒の内側に外筒の基端の開口部から先端に向かって突き出た、外筒と一体に設けられた棒状ストッパであることを特徴とする（１）又は（３）に記載の止血器具組立体。
【００２０】
（５）使用者に静止を促す手段は、外筒の内側に外筒の内壁から外筒の断面方向に突き出た、外筒と一体に設けられた突起状ストッパであることを特徴とする（１）又は（３）に記載の止血器具組立体。
【００２１】
（６）使用者に静止を促す手段は、外筒に設けた少なくとも１つの孔であることを特徴とする（１）に記載の止血器具組立体。
【００２２】
（７）静止させる手段は、外筒、ガスケット、押し子のうちの少なくとも１つに設けたストッパであることを特徴とする（１）に記載の止血器具組立体。
【００２３】
（８）静止させる手段が、ガスケットの外周に設けた溝に脱着可能に嵌合された外筒の内壁に外筒の断面方向に外筒と一体に設けた突起状ストッパであることを特徴とする（１）又は（７）に記載の止血器具組立体。
【００２４】
（９）静止させる手段が、外筒の基端に側部が当接する変形又は破壊可能な突起を有する、押し子と一体に設けられた棒状ストッパであることを特徴とする（１）又は（７）に記載の止血器具組立体。
【００２５】
（１０）静止させる手段が、外筒に設けた孔に脱着可能に嵌合された突起を有する、押し子に対し断面方向に変位可能に設けられた棒状ストッパであることを特徴とする（１）又は（７）に記載の止血器具組立体。
【発明の効果】
【００２６】
本発明によれば、簡単な操作で、正確な量の空気を注入することができる止血器具用シリンジを提供することができる。
【図面の簡単な説明】
【００２７】
【図１】本発明の実施形態に係る止血器具を示す底面図（手首に装着したときの外面側が見える状態）である。
【図２】図１に示す止血器具の止血時の使用状態を示す模式的断面図である。
【図３】本発明の実施形態に係るシリンジを示す部分縦断面図である。
【図４】本発明の第１実施形態に係るシリンジを示す断面図である（実施例２）。
【図５】本発明の第１実施形態に係るシリンジを示す断面図である（実施例３）。
【図６】本発明の第１実施形態に係るシリンジを示す断面図である（実施例４）。
【図７】本発明の第２実施形態に係るシリンジを示す断面図である（実施例５）。
【図８】本発明の第２実施形態に係るシリンジを示す断面図である（実施例６）。
【図９】本発明の第２実施形態に係るシリンジを示す断面図である（実施例７）。
【発明を実施するための形態】
【００２８】
以下、本発明のガスケットを指定の位置に静止させる、又は、使用者に静止を促す手段を備えた止血器具用シリンジを実施するための形態（以下、「実施形態」という。）に基づいて図面を参照して詳細に説明する。以下に示す実施形態は、本発明の技術的思想を具体化するための物や方法を例示するものであって、本発明の技術的思想は、構成材料の種類、構成条件等を下記のものに特定するものでない。本発明の技術的思想は、特許請求の範囲に記載された技術的範囲内において、種々の変更を加えることができる。
【００２９】
（第１実施形態）
図１は、本発明の実施形態に係る止血器具を示す底面図（手首に装着したときの外面側が見える状態）であり、図２は図１に示す止血器具の止血時の使用状態を示す模式的断面図であり、図３は本発明の実施形態に係る図１に示す止血器具に空気を注入するシリンジを示す部分縦断面図である。
【００３０】
まず、図１、２、３を用いて第１実施形態に係る止血器具とシリンジの関係を説明する。
【００３１】
図１に示す止血器具は、治療・検査などを行うカテーテル等を血管内に挿入する目的で手首５００（肢体）に形成された穿刺部位５１０（止血すべき部位）に留置していたイントロデューサーシースを抜去した後、その穿刺部位５１０を止血するのに使用するものであり、手首５００に巻き付けるための巾約４０ｍｍの帯体２と、帯体２を手首５００に巻き付けた状態で固定する固定手段としての面ファスナー３と、湾曲板４と、バルーン５と、補助バルーン６と、マーカ７と、シリンジ９とを備えている。
【００３２】
帯体２は、透明（可視光透過性）材料からなる、可撓性を有する帯状の部材である。図２に示すように、帯体２は、手首５００の外周を一周するように巻き付けられ、その両端付近の部分を互いに重ね合わせるようにして、手首５００に装着される。そして、帯体２は、この重ね合わせ部分が一般にマジックテープ（登録商標）などと呼ばれる面ファスナー３によって固定される。面ファスナー３は、図１の左端部に示した可撓性のある雄側面ファスナー３１と、図１の右端部に示した雌側面ファスナー３２とからなる。帯体２の固定は、まず雌側面ファスナー３２の部分から始めて帯体２を手首５００に巻き付け、次いでこの雌側面ファスナー３２に帯体２のもう一方の端部の雄側面ファスナー３１を重ねることにより行う。したがって、固定された面ファスナー３は、帯体２の両端部に挟まれるようになる。
【００３３】
帯体２の中央部には、湾曲板４を保持する湾曲板保持部２１が形成されている。湾曲板保持部２１は、外面側（または内面側）に別個の帯体の部材が融着（熱融着、高周波融着、超音波融着等）または接着（接着剤や溶媒による接着）等の方法により接合されることにより、二重になっており、それらの隙間に挿入された透明（可視光透過性）材料からなる湾曲板４を保持する。
【００３４】
帯体２には、透明（可視光透過性）で可撓性を有する材料で構成されたバルーン５が連結されている。バルーン５は、流体（空気等の気体もしくは液体）を注入することにより拡張し、手首５００の穿刺部位５１０を圧迫する。
【００３５】
図２に示すように、湾曲板４とバルーン５との間には、透明（可視光透過性）で可撓性を有する材料で構成された補助バルーン６が、バルーン５と連通してバルーン５と重なるようにして設けられている。この補助バルーン６は、バルーン５を押圧する押圧部材として機能するものである
【００３６】
バルーン５の内面側又は外面側にはマーカ７が設けられており、バルーン５を穿刺部位５１０に容易に位置合わせすることができる。
【００３７】
図１に示すように、バルーン５には、バルーン５内に空気を注入するための注入部８が接続されている。注入部８は、その基端部がバルーン５に接続され、その内腔がバルーン５の内部に連通する可撓性を有するチューブ８１と、チューブ８１の先端部に設置された袋体８２と、袋体８２に接続された管状のコネクタ８３とで構成されている。
【００３８】
バルーン５を拡張（膨張）させる際には、コネクタ８３に図３に示したシリンジ９のコネクタ１０４を挿入し、シリンジ９の押し子３０を押して、シリンジ内の流体を注入部８を介してバルーン５内に注入する。バルーン５内に空気を注入した後、コネクタ８３からシリンジ９のコネクタ１０４を抜去すると、コネクタ８３に内蔵された逆止弁が閉じて流体の露出が防止され、バルーン５が膨張した状態が維持される。
【００３９】
補助バルーン６は、内部に充填された空気の圧力により、図２中の矢印ｆで示すように、バルーン５をほぼ手首５００の中心部５２０に向かう方向に押圧する。このような補助バルーン６からの押圧力を受けることにより、バルーン５は、図２中の矢印Ｆで示すように、穿刺部位５１０を上から下へ垂直な方向（手首５００の表面に対して垂直な方向）ではなく、傾斜した方向（手首５００の中心部５２０に向かうような方向）に押圧（圧迫）する。
【００４０】
ここで、図３を用いてシリンジ９の構造について説明する。説明の都合上、図３の左側を「先端」、右側を「基端」と言う。
【００４１】
図３に示すシリンジ９は、外筒１０と、外筒１０内で摺動し得るガスケット２０と、ガスケット２０を移動操作する押し子３０とを備えている。ガスケット２０は、押し子３０の先端に連結されている。以下、各部の構成について説明する。
【００４２】
外筒１０は、先端側に底部１０１を有する有底筒状の部材で構成され、底部１０１には、外筒１０の胴部に対し縮径した縮径部１０３が一体的に形成されている。この縮径部１０３には、コネクタ１０４が嵌合、装着されている。
【００４３】
また、外筒１０の基端外周には、板状のフランジ１０５が一体的に形成されている。押し子３０を外筒１０に対し相対的に移動操作する際などには、このフランジ１０５に指を掛けて操作を行うことができる。
【００４４】
外筒１０の構成材料としては、特に限定されないが、例えば、ポリ塩化ビニル、ポリエチレン、ポリプロピレン、環状ポリオレフィン、ポリスチレン、ポリ−（４−メチルペンテン−１）、ポリカーボネート、アクリル樹脂、アクリルニトリル−ブタジエン−スチレン共重合体、ポリエチレンテレフタレート、ポリエチレンナフタレート等のポリエステル、ブタジエン−スチレン共重合体、ポリアミド（例えば、ナイロン６、ナイロン６・６、ナイロン６・１０、ナイロン１２）のような各種樹脂が挙げられるが、その中でも、水分の蒸散が少ないという点で、ポリプロピレン、環状ポリオレフィン、ポリエステル、ポリ−（４−メチルペンテン−１）のような樹脂が好ましい。
【００４５】
なお、外筒１０の構成材料は、内部の視認性を確保するために、実質的に透明（可視光透過性）であるのが好ましい。
【００４６】
外筒１０内には、弾性材料で構成されたガスケット２０が収納されている。
このガスケット２０の外周部には、リング状の凸部をした第１ピーク２０２及び第２ピーク２０３が全周にわたって形成されている。この第１ピーク２０２及び第２ピーク２０３が外筒１０の内周面に対し密着しつつ摺動することで、気密性をより確実に保持することができる。
【００４７】
外筒１０の外周面には、目盛り１０２が形成されている。ガスケット２０の第１ピーク２０２の先端側端部の目盛り位置を読み取ることにより、外筒１０とガスケット２０とで囲まれる空間内の空気量を把握することができる。図示の構成では、目盛り１０２は、０〜２５ｃｍ３まで付されている。
【００４８】
ガスケット２０の先端面２０４は、先端に向かって外径が漸減するようなテーパ面になっていて、外筒１０の底部１０１と隙間なく接地する形状となっている。
【００４９】
また、ガスケット２０は、その基端面側の連結部２０１で押し子３０と一体に連結されている。
【００５０】
ガスケット２０の構成材料としては、特に限定されないが、例えば、天然ゴム、ブチルゴム、イソプレンゴム、ブタジエンゴム、スチレン−ブタジエンゴム、シリコーンゴムのような各種ゴム材料や、ポリウレタン系、ポリエステル系、ポリアミド系、オレフィン系、スチレン系等の各種熱可塑性エラストマー、あるいはそれらの混合物等の弾性材料が挙げられる。
【００５１】
このようなガスケット２０には、外筒１０の基端開口より挿入され、ガスケット２０を外筒１０内で長手方向に移動操作する押し子３０が連結（装着）されている。
【００５２】
押し子３０は、本体部３０１を有しており、本体部３０１の基端に、フランジ状の指当て部３０２が形成されている。この指当て部３０２を指等で押圧することにより押し子３０を先端方向へ移動操作する。
【００５３】
押し子３０の本体部３０１は、剛性が得られるように、例えば断面が対称の十字形状の板からなり、押し子３０が摺動可能なように、各板巾は外筒１０の内径に等しく設けられている。
【００５４】
押し子３０の構成材料としては、特に限定されず、例えば、外筒１０の構成材料として挙げたものと同様のものを用いることができる。
【００５５】
上記のように、図１、２のバルーン５を拡張（膨張）させる際には、コネクタ８３に図３に示したシリンジ９のコネクタ１０４を挿入し、シリンジ９の押し子３０を押して、シリンジ内の流体を注入部８を介してバルーン５内に注入する。この場合、図１の注入部８のコネクタ８３に図３のシリンジ９のコネクタ１０４を挿入する前に、押し子３０を基端側に引いて、シリンジ９のガスケット２０の第１ピーク２０２の先端側端部位置を設定空気注入量の目盛り１０２の位置に正確に合わせる必要がある。
【００５６】
本実施形態においては、バルーン５への推奨空気注入量は１３ｃｍ３、最大空気注入量は１８ｃｍ３である。
【００５７】
次に、本発明の第１実施形態に係る外筒１０、ガスケット２０、押し子３０のうちの少なくとも１つに設けた、使用時にガスケット２０が外筒１０の先端の底部１０１に当接した状態から前記押し子を引いて静止させることによって使用者に静止を促す手段の実施例について、図３〜６を参照して説明する。
【実施例】
【００５８】
（実施例１）
空気注入量設定手段は、図３において、外筒１０又は押し子３０に、推奨空気注入量１３ｃｍ３及び／又は最大空気注入量１８ｃｍ３の目盛りの位置に設けたマークを用いることができる。
【００５９】
マークは、シールを貼る、塗料で印をつける等の方法で互いに色違いにすることが好ましい。
【００６０】
ガスケット２０の第１ピーク２０２の先端側端部位置がこのマークの間に来るように、押し子３０を引いて静止させれば、適正空気注入量が設定される。
【００６１】
次に、図４、５を参照して、ストッパを用いた使用者に静止を促す手段について説明する。
【００６２】
（実施例２）
図４は、使用者に静止を促す手段として、外筒１０の内側に外筒１０の基端の開口部から先端に向かって突き出た、外筒１０と一体に設けられた棒状ストッパ４１０を備えたシリンジ９を示す断面図である。
【００６３】
棒状ストッパ４１０は、後端部が外筒１０のフランジ１０５に固定されており、先端部は、押し子３０を引いてガスケット２０の後端面が棒状ストッパ４１０の先端部に突き当たった時にガスケット２０の第１ピーク２０２の先端側端部位置
が、外筒１０の目盛り１３ｃｍ３の位置に来るように設定されている。
【００６４】
棒状ストッパ４１０を設けることにより、目視に頼ることなく、シリンジ９の空気注入量を推奨空気注入量の１３ｃｍ３に設定することが可能になる。
【００６５】
（実施例３）
図５は、使用者に静止を促す手段として、外筒１０の内側に外筒１０の内壁から外筒１０の断面方向に突き出た、外筒１０と一体に設けられた少なくとも１つの突起状ストッパ４２０を備えたシリンジ９を示す断面図である。
【００６６】
突起状ストッパ４２０は、押し子３０を引いてガスケット２０の後端面が突起状ストッパ４２０に突き当たった時にガスケット２０の第１ピーク２０２の先端側端部位置が、外筒１０の目盛り１３ｃｍ３の位置に来るように設定されている。
【００６７】
突起状ストッパ４２０を設けることにより、目視に頼ることなく、シリンジ９の空気注入量を推奨空気注入量の１３ｃｍ３に設定することが可能になる。
【００６８】
（実施例４）
図６は、使用者に静止を促す手段として、外筒１０に設けた少なくとも１つの孔１０６を備えたシリンジ９を示す断面図である。
【００６９】
孔１０６は、外筒１０の目盛り１３ｃｍ３の位置に設けられており、ガスケット２０の第１ピーク２０２の先端側端部位置が孔１０６の位置より外筒１０の基端側にあっても、押し子３０を押し込んだ場合、孔１０６から空気が漏れるため、空気注入量は推奨空気注入量の１３ｃｍ３になる。
【００７０】
（第２実施形態）
第２実施形態に係る止血器具とシリンジの関係は、第１実施形態に係る止血器具とシリンジの関係と同様であるので省略する。
【００７１】
次に、本発明の第２実施形態に係る外筒１０、ガスケット２０、押し子３０のうちの少なくとも１つに設けた、使用前に予め押し子３０を引いて静止させた状態でガスケットを指定の位置に静止させる手段としてのストッパの実施例について、図７、８、９を参照して説明する。
【００７２】
（実施例５）
図７は、ガスケットを指定の位置に静止させる手段として、ガスケット２０の外周に設けた溝２０５と嵌合可能な外筒１０の内壁に外筒１０の断面方向に外筒１０と一体に設けた突起状ストッパ４３０を備えたシリンジ９を示す部分断面図である。
【００７３】
突起状ストッパ４３０は、ガスケット２０の外周に設けた溝２０５に嵌合した時に、ガスケット２０の第１ピーク２０２の先端側端部位置が、外筒１０の目盛り１３ｃｍ３の位置に来るように設定されている。
【００７４】
突起状ストッパ４３０は、押し子３０を押し込んだ時に、嵌合しているガスケット２０の溝２０５から容易に外れるような高さの突起とするか、又は突起を設ける替りに、ガスケット２０の溝２０５に対応する外筒１０の位置の内周にも溝（図示していない）を設けてＯリングを用いることもできる。
【００７５】
突起状ストッパ４３０とガスケット２０の外周に設けた溝２０５が嵌合状態にあるシリンジ９の押し子３０を、ガスケット２０の先端面２０４が外筒１０の底部１０１に当接するまで押し込むことにより、１３ｃｍ３の推奨空気注入量の空気を注入することが可能になる。
【００７６】
（実施例６）
図８は、ガスケットを指定の位置に静止させる手段として、外筒１０の基端に側部が当接する変形又は破壊可能な突起４４１を有する、押し子３０と一体に設けられた棒状ストッパ４４０を備えたシリンジ９を示す断面図である。
【００７７】
図示では、棒状ストッパ４４０は、棒状ストッパ４４０の先端がガスケット２０の後端面に当接し、棒状ストッパ４４０の後端が押し子３０の指当て部３０２に当接し、変形又は破壊可能な突起４４１の一側面が外筒１０のフランジ１０５の基端側面に当接するように押し子３０の本体部３０１に固定されている。
【００７８】
棒状ストッパ４４０の長さは、ガスケット２０の第１ピーク２０２の先端側端部位置が、外筒１０の目盛り１３ｃｍ３の位置に来るように設定されている。
【００７９】
使用時に、この状態から押し子３０を押し込むと、突起４４１は、図８の矢印の方向に変形して倒れるか、又は破壊され、押し子３０の本体部３０１が外筒１０の内壁を摺動することができるようになる。
【００８０】
押し子３０を、ガスケット２０の先端面２０４が外筒１０の底部１０１に当接するまで押し込むことにより、１３ｃｍ３の推奨空気注入量の空気を注入することが可能になる。
【００８１】
（実施例７）
図９は、ガスケットを指定の位置に静止させる手段として、前記外筒に設けた孔１０７に脱着可能に嵌合された突起４５１を有する棒状ストッパ４５０を備えたシリンジ９を示す断面図である。
【００８２】
図示では、棒状ストッパ４５０は、棒状ストッパ４５０の先端がガスケット２０の後端面に当接し、棒状ストッパ４５０の後端が押し子３０の指当て部３０２に当接し、突起４５１が外筒１０に設けた孔１０７に脱着可能に嵌合されるように押し子３０の本体部３０１に設けられている。
【００８３】
棒状ストッパ４５０は、例えば、図示ではスプリング４５２ａ、４５２ｂにより、押し子３０の本体部３０１に対し、断面方向に変位可能に設けられている。
【００８４】
使用時に、この状態から棒状ストッパ４５０を矢印の方向に押し込むと、突起４５１は、外筒１０に設けた孔１０７との嵌合から外れて棒状ストッパ４５０は断面方向に変位し、押し子３０の本体部３０１が外筒１０の内壁を摺動することができるようになる。
【００８５】
押し子３０を、ガスケット２０の先端面２０４が外筒１０の底部１０１に当接するまで押し込むことにより、１３ｃｍ３の推奨空気注入量の空気を注入することが可能になる。
【００８６】
以上、本発明のガスケットを指定の位置に静止させる、又は、使用者に静止を促す手段を備えた止血器具を実施形態に基づいて説明したが、本発明は、これに限定されるものではなく、ガスケットを指定の位置に静止させる、又は、使用者に静止を促す手段を備えた止血器具を構成する各部は、同様の機能を発揮し得る任意の構成のものと置換することができる。また、任意の構成物が付加されていてもよい。
【００８７】
また、本発明のガスケットを指定の位置に静止させる、又は、使用者に静止を促す手段を備えた止血器具は、手首に装着して使用するものに限らず、腕または脚（本明細書では、これらを総称して「肢体」という）のいかなる部分に装着して使用するガスケットを指定の位置に静止させる、又は、使用者に静止を促す手段を備えた止血器具にも適用することができる。
【００８８】
以上、本発明の好ましい実施形態について詳述したが、本発明は上述した実施形態に限定されるものではなく、特許請求の範囲に記載された本発明の要旨の範囲内において、種々の変形、変更が可能である。
【産業上の利用可能性】
【００８９】
本発明に係るガスケットを指定の位置に静止させる、又は、使用者に静止を促す手段を備えた止血器具を用いると、簡単な操作で、正確な量の空気を止血器具に注入することができ、排出量が過多・過少となるミスを確実に防止することができるので、臨床医療現場での利用可能性は極めて大きい。
【符号の説明】
【００９０】
１  止血器具
１１  連結部
１２  連通部
１３  固着部
２  帯体
２１  湾曲板保持部
３  面ファスナー
３１  雄側
３２  雌側
４  湾曲板
４１  中央部
４２  湾曲部
５  バルーン
６  補助バルーン
７  マーカ
８  注入部
８１  チューブ
８２  袋体
８３  コネクタ
５００  手首
５１０  穿刺部位
５２０  中心部
９  シリンジ
１０  外筒
１０１  底部
１０２  目盛り
１０３  縮径部
１０４  コネクタ
１０５  フランジ
１０６  孔
１０７  孔
２０  ガスケット
２０１  連結部
２０２  第１ピーク
２０３  第２ピーク
２０４  先端面
２０５  溝
３０  押し子
３０１  本体部
３０２  指当て部
４１０  棒状ストッパ
４２０  突起状ストッパ
４３０  突起状ストッパ
４４０  棒状ストッパ
４４１  突起
４５０  棒状ストッパ
４５１  突起
４５２ａ、４５２ｂ  スプリング
【図１】
2012034819.tif 000003
【図２】
2012034819.tif 000004
【図３】
2012034819.tif 000005
【図４】
2012034819.tif 000006
【図５】
2012034819.tif 000007
【図６】
2012034819.tif 000008
【図７】
2012034819.tif 000009
【図８】
2012034819.tif 000010
【図９】
2012034819.tif 000011